(57)【要約】【課題】水素生成装置の起動時に、一酸化炭素低減触媒全体を、速やかに活性化する温度まで加熱して、起動時間の短縮化を図る。【解決手段】原料供給経路４と、水供給経路３と、原料供給経路４から供給される原料と水供給経路３から供給される水との改質反応により、水素含有ガスを生成させる水蒸気改質部２０と、改質反応に必要な熱を改質部に供給する燃焼部２と、水素含有ガス中の一酸化炭素を低減させる一酸化炭素低減部２５、２６と、水蒸気改質部２０の外側に設けられる改質断熱部３０と、一酸化炭素低減部の外側に設けられる一酸化炭素低減断熱部３１とを備え、一酸化炭素低減部と一酸化炭素低減断熱部３１との間に空間が設けられ、その空間により空気対流層２９を構成するので、空気対流層２９を流れる空気により、一酸化炭素低減部全体が、空気の流れにより加熱され、一酸化炭素低減部全体を効果的に加熱することができる。【選択図】図１
2010269956.tif 000002
【特許請求の範囲】
【請求項１】
原料供給経路と、水供給経路と、前記原料供給経路から供給される原料と、前記水供給経路から供給される水との改質反応により、水素含有ガスを生成させる改質部と、前記改質反応に必要な熱を改質部に供給する加熱部と、前記水素含有ガス中の一酸化炭素を低減させる一酸化炭素低減部と、前記改質部の外側に設けられる改質断熱部と、前記一酸化炭素低減部の外側に設けられる一酸化炭素低減断熱部とを備え、前記一酸化炭素低減部と前記一酸化炭素低減断熱部との間に空間が設けられ、前記空間により空気対流層が構成される水素生成装置。
【請求項２】
前記空気対流層への空気取入口及び空気取出口が、前記一酸化炭素低減断熱部に設けられる請求項１に記載の水素生成装置。
【請求項３】
前記一酸化炭素低減部を加熱するヒーターが、前記一酸化炭素低減部の外側に近接させて、前記空気対流層に設けられる請求項１または２に記載の水素生成装置。
【請求項４】
前記空気取入口が、前記ヒーターの設置位置よりも、重力方向下側に設けられる請求項２に記載の水素生成装置。
【請求項５】
外壁を同一にして、前記一酸化炭素低減部が、前記改質部の重力方向上側に設けられ、前記外壁の外側に、前記改質断熱部と前記一酸化炭素低減断熱部となる、断熱部が設けられる請求項１から４のいずれか１項に記載の水素生成装置。
【請求項６】
前記原料供給経路、または前記水供給経路が、前記空気取出口に設けられる請求項５に記載の水素生成装置。
【請求項７】
前記一酸化炭素低減部と前記一酸化炭素低減断熱部との間に、前記空間を確保するためのスペーサーが設けられる請求項１から６のいずれか１項に記載の水素生成装置。
【発明の詳細な説明】
【技術分野】
【０００１】
本発明は、原料と水との改質反応により水素含有ガスを生成させ、水素含有ガス中の一酸化炭素を低減させる一酸化炭素低減部を備える水素生成装置に関するものである。
【背景技術】
【０００２】
小型装置でも高効率な発電を可能とする燃料電池は、分散型エネルギー供給源の発電システムとして開発が進められている。発電時の燃料となる水素ガス又は水素含有ガスは、一般的なインフラとして整備されていない。そこで、例えば都市ガス、プロパンガス等の既存の化石原料インフラから供給される原料を利用し、それらの原料と水との改質反応により水素含有ガスを生成させる水素生成装置が併設される。
【０００３】
その水素生成装置は、原料と水とを改質反応させ、水素含有ガスを生成させる改質部を備える。また、水素含有ガス中の一酸化炭素を低減させる一酸化炭素低減部となる、一酸化炭素と水蒸気を水性ガスシフト反応させる変成部、および一酸化炭素を酸化させる選択酸化部を設ける構成がとられることが多い。それらの反応部には、各反応に適した触媒、例えば、改質部にはＲｕ触媒やＮｉ触媒、変成部にはＣｕ−Ｚｎ触媒、選択酸化部にはＲｕ触媒等が用いられている。また、各反応部には適した温度があり、改質部は６５０℃程度、変成部は２００℃程度、選択酸化部は１５０℃程度で使用されることが多い。
【０００４】
燃料電池発電システムを家庭用途で使用する場合、家庭の電力負荷に対応して、負荷の小さな夜間、システムを停止する起動停止運転に対応させることが、高いエネルギー効率を得るための望ましい運転方法となる。
【０００５】
水素生成装置も、その運転方法に対応する必要があり、起動時に速やかに水素含有ガスを供給するため、起動時に、改質触媒および一酸化炭素低減触媒を、それぞれ活性化できる温度にまで加熱する必要がある。
【０００６】
そこで、一酸化炭素低減部である変成部の外壁に、変成触媒を加熱するヒーターを設け、そのヒーターに接触するように、変成部全体を覆うように断熱材が設けられる構成が検討されている（例えば、特許文献１参照）。
【先行技術文献】
【特許文献】
【０００７】
【特許文献１】特開２００６−２２５２２３号公報
【発明の概要】
【発明が解決しようとする課題】
【０００８】
特許文献１に記載のような従来の構成では、ヒーターでの発熱が、変成部の外壁を通した熱伝導により、一酸化炭素低減触媒に伝わることになる。すなわち、ヒーターが設置されている外壁面近傍の一酸化炭素低減触媒は、加熱されやすいに構成となっている。しかし、ヒーターが設置されていない外壁面近傍の一酸化炭素低減触媒の昇温が遅くなる。従って、一酸化炭素低減触媒全体が、活性化する温度まで加熱されるまで、所定の一酸化炭素低減効果が得られず、さらなる起動時間の短縮化が望まれている。
【０００９】
本発明は、前記従来の課題を解決するもので、一酸化炭素低減部を、速やかに活性温度に加熱する水素生成装置を提供することを目的とする。
【課題を解決するための手段】
【００１０】
上記の課題を解決するため、本発明の水素生成装置は、原料供給経路と、水供給経路と、原料供給経路から供給される原料と水供給経路から供給される水との改質反応により、水素含有ガスを生成させる改質部と、改質反応に必要な熱を改質部に供給する加熱部と、水素含有ガス中の一酸化炭素を低減させる一酸化炭素低減部と、改質部の外側に設けられる改質断熱部と、一酸化炭素低減部の外側に設けられる一酸化炭素低減断熱部とを備え、一酸化炭素低減部と一酸化炭素低減断熱部との間に空間が設けられ、その空間により空気対流層が構成される。
【発明の効果】
【００１１】
本発明の水素生成装置は、空気対流層を流れる空気により、一酸化炭素低減部全体が、空気の流れにより加熱され、一酸化炭素低減部全体を効果的に加熱することができるので、一酸化炭素低減部に納められる一酸化炭素低減触媒を、活性温度にまで加熱する時間を短縮することができる。その結果、起動時に必要な消費エネルギーを減らすことができる。また、一酸化炭素低減触媒全体を有効利用できるので、その触媒量を低減することができる。
【図面の簡単な説明】
【００１２】
【図１】本発明の実施の形態１における水素生成装置１００の概略構成図
【図２】本発明の実施の形態１における変成ヒーター２７の概観図
【図３】本発明の実施の形態１における変成ヒーター２７の変形例の概観図
【図４】本発明の実施の形態２における水素生成装置１０１の概略構成図
【図５】本発明の実施の形態３における水素生成装置１０２の概略構成図
【図６】本発明の実施の形態４における水素生成装置１０３の概略構成図
【発明を実施するための形態】
【００１３】
第１の発明は、原料供給経路と、水供給経路と、原料供給経路から供給される原料と水供給経路から供給される水との改質反応により、水素含有ガスを生成させる改質部と、改質反応に必要な熱を改質部に供給する加熱部と、水素含有ガス中の一酸化炭素を低減させる一酸化炭素低減部と、改質部の外側に設けられる改質断熱部と、一酸化炭素低減部の外側に設けられる一酸化炭素低減断熱部とを備え、一酸化炭素低減部と一酸化炭素低減断熱部との間に空間が設けられ、その空間により空気対流層が構成される。一酸化炭素低減部と、一酸化炭素低減断熱部との間に空気対流層を設けることにより、空気対流層を流れる空気の流れによって、一酸化炭素低減部全体を加熱でき、一酸化炭素低減部内に納められる一酸化炭素低減触媒を均一に加熱することができる。
【００１４】
第２の発明では、特に、第１の発明において、空気対流層への空気取入口及び空気取出口が、一酸化炭素低減断熱部に設けられているので、空気対流層で積極的に空気の流れを発生させることができ、その空気の流れによって、一酸化炭素低減部を加熱することが可能となる。
【００１５】
第３の発明では、特に、第１または２の発明において、一酸化炭素低減部を加熱するヒーターが、一酸化炭素低減部の外側に近接させて、空気対流層に設けられているので、空気対流層を流れる空気の流れによって、ヒーターの熱が、一酸化炭素低減部全体に伝えることが可能となる。
【００１６】
第４の発明では、特に、第２の発明において、空気取入口を、ヒーターの設置位置よりも、重力方向下側に設けることで、空気対流層で積極的に空気の流れ（自然対流）を発生させることができ、ヒーターの熱を、一酸化炭素低減部全体に伝えることが可能となる。
【００１７】
第５の発明では、特に、第１から４のいずれか１つの発明において、外壁を同一にして、一酸化炭素低減部が、改質部の重力方向上側に設けられ、外壁の外側に、改質断熱部と一酸化炭素低減断熱部となる、断熱部が設けられていることで、一酸化炭素低減部と比較して高温状態となる改質部の熱を、一酸化炭素低減部の加熱に有効利用できる。
【００１８】
第６の発明では、特に、第５の発明において、原料供給経路、または水供給経路が、空気取出口に設けられているので、空気対流層から排出される空気が持ち出す熱を、改質器に供給される原料または水と熱交換できるので、放熱ロスを小さくすることができる。
【００１９】
第７の発明では、特に、第１から６のいずれか１つの発明において、一酸化炭素低減部と一酸化炭素低減断熱部との間に、空間を確保するためのスペーサーが設けられているので、空気の流れを発生させる空気対流層を確実に構成することができる。
【００２０】
以下、本発明を実施の形態について、図面を参照しながら説明する。なお、本実施に形態によって本発明が限定されるものではない。
【００２１】
（実施の形態１）
図１は、本発明の第１の実施の形態における水素生成装置１００の要部断面を示す図である。
【００２２】
図１において、水素生成装置１００は、水供給経路３から供給される水を蒸発させるとともに、原料と水蒸気の混合ガスを予熱する水蒸気発生部２３を備える。また、原料供給経路４から供給される原料と、水蒸気との改質反応を進行させる水蒸気改質部２０と、水蒸気改質部２０で生成した水素含有ガス中の一酸化炭素と水蒸気とを変成反応させて、水素含有ガスの一酸化炭素濃度を低減させる変成部２５を有している。また、変成部２５を通過した後の水素含有ガス中に残留する一酸化炭素を、空気供給部１９から変成部２５を通過した後の水素含有ガスに供給される空気を用いて、主に酸化させて除去する選択酸化部２６を有している。なお、変成部２５、選択酸化部２６により、一酸化炭素低減部が構成されている。
【００２３】
水蒸気改質部２０にはＲｕ系の改質触媒、変成部２５にはＣｕ−Ｚｎ系の変成触媒、選択酸化部２６にはＲｕ系の選択酸化触媒が設けられている。また、水蒸気改質部２０における改質触媒（あるいは水素含有ガス）の温度（反応温度）を検出する改質温度検出部２１、変成部２５における変成触媒（あるいは原料と水蒸気の混合ガス）の温度を検出する変成温度部２４を備えている。
【００２４】
また、水素生成装置１００は、水蒸気改質部２０における改質反応に必要な反応熱を供給するための加熱部となる、燃焼部２を備えている。燃焼部２は、加熱源となる燃焼ガスを燃焼させるバーナーであり、燃焼部２の燃焼状態を検知するフレームロッドである燃焼検出部２２、及び燃焼部２に燃料用空気を供給する、燃焼空気供給部となる燃焼ファン１８を有している。燃焼部２で燃焼させる燃焼ガスは、燃焼ガス供給経路（図示せず）を介して燃焼部２に供給される。水素生成装置１００によって生成された水素含有ガスは、水素ガス供給経路１２を介して、外部に設置される燃料電池等に供給される。なお、フレームロッドは、火炎が形成される時に発生するイオンに電圧を印加し、その時に流れるイオン電流値を測定するデバイスである。また、水蒸気改質部２０と水蒸気発生部２３は、燃焼部２で発生させた燃焼排ガスから、燃焼部２との水素生成装置１００の壁面を介して供給される構成となっている。また、燃焼排ガスは、図面右上上の排出口から、水素生成装置１００の外部へ排気される。
【００２５】
水供給経路３には、水供給部が接続されている。原料供給経路４には、原料供給部が接
続されている。原料供給経路４から供給される原料は、炭化水素等の少なくとも炭素及び水素元素から構成される有機化合物を含む原料であればよく、例えばメタンを主成分とする都市ガス、天然ガス、ＬＰＧ等である。ここでは、原料の供給源として都市ガスのガスインフラライン６を用い、そのガスインフラライン６に、原料中の不臭成分である硫黄化合物を除去する脱硫部が接続されている。例えば脱硫部は、都市ガス中の付臭成分である硫黄化合物を吸着させる、ゼオライト系吸着除去剤を用いることができる。なお、水供給部および原料供給部４は、ブースターポンプを用いることができ、例えば入力する電流パルス、入力電力等を制御することにより、供給する水の流量、原料の流量を調節する機能を有している（詳細は図示せず）。
【００２６】
水素生成装置１００には、水蒸気改質部２０の外側の外壁面に密着するように、改質断熱部３０が設けられている。また、変成部２５、選択酸化部２６である一酸化炭素低減部には、外壁面との間に隙間を設け、一酸化炭素除去断熱部３１が設けられている。外壁面と一酸化炭素除去断熱部３１との間の隙間により構成される空間が、空気対流層２９となる。なお、本実施の形態１の改質断熱部３０、および一酸化炭素除去断熱部３１は、セラミックファイバー原綿と結合材を用いて、モールド化された成型断熱材で構成されている。
【００２７】
また、空気対流層２９の変成部２５および選択酸化部２６の外壁には、変成ヒーター２７および選択酸化ヒーター２８が、密着させて設けられている。図２に、変成ヒーター２７の、概観図を示す。変成ヒーター２７は、シーズヒーターであり、水素生成装置１００の外壁形状に合わせた形状となっている。また、図３に示すような、ヒーターの形状としても良い。また、選択酸化ヒーター２８は、変成ヒーター２７と同一の構成となるので、説明は省略する。
【００２８】
また、一酸化炭素除去断熱部３１には、空気対流層２９へ空気を取り入れるため、変成ヒーター２７の下側（重力方向下側）に、空気取入口３２が設けられている。また、および空気対流層２９から空気を排出するための、空気取出口３３が設けられている。また、空気取出口３３は、一酸化炭素除去断熱部３１と水供給経路３および原料供給経路４との間に隙間を設けることで、構成されている。
【００２９】
〈水素生成装置１００の運転動作〉
次に、水素生成装置１００の起動動作、通常時の運転動作、及び停止動作を、水素生成装置１００の動作を中心にして説明する。
【００３０】
停止状態から水素生成装置１００を起動させる場合、運転制御部１６からの指令により、原料供給部４から水素生成装置バイパス経路１１を通し、封止部９を経て燃料電池バイパス経路１３を通して、原料を燃焼部２に供給し、燃焼部２で原料に着火して水素生成装置１００の加熱を開始する。
【００３１】
この動作にとともに、変成ヒーター２７および選択酸化ヒーター２８に通電して、変成温度検知部２４で検出される温度に基いて、変成部２５および選択酸化部２６の加熱を行う。なお、一酸化炭素除去部の加熱動作を、燃焼部２の着火動作に先立って、実施させてもよい。
【００３２】
燃焼部２での加熱開始後に、原料供給経路４を通して水素生成装置１００（水蒸気改質部２０）に原料を供給するとともに、水供給経路３から水素生成装置１００に水を供給し、水と原料との改質反応を開始させる。本実施の形態では、メタンを主成分とする都市ガス（１３Ａ）を原料とする。水供給部３からの水の供給量は、都市ガスの平均分子式中の炭素原子数１モルに対して水蒸気が３モル程度になるように制御される（スチームカーボ
ン比（Ｓ／Ｃ）で３程度）。
【００３３】
水素生成装置１００では、水蒸気改質部２０で水蒸気改質反応、変成部２４で変成反応、選択酸化部２６で一酸化炭素の選択酸化反応を進行させる。生成させた水素含有ガスは、一酸化炭素濃度を所定濃度（本実施の形態では、ドライガスベースで２０ｐｐｍ以下）に低減できるまで、封止部９を経て燃料電池バイパス経路１３を通して燃焼部２に供給される。この時、改質温度検出部２１で検出される温度に基づいて、水蒸気改質部２０、変成部２４，選択酸化部２６が各反応に適した温度になるように、燃焼部２の燃焼を制御する。
【００３４】
変成部２４，選択酸化部２６が、反応に適切な温度となり、一酸化炭素濃度を所定濃度まで低減させた後、封止部９を動作させ、水素ガス供給経路１２を通して水素含有ガスを、例えば、燃料電池等に供給を開始する。
【００３５】
装置停止時は、原料と水の供給を停止させ、燃料改質装置１内の水蒸気改質部２０、変成部２５、選択酸化部２６の各触媒層の温度を低下させる。このとき、燃焼部２の基本動作は停止させる。各触媒層の温度を設定温度まで低下させ後、原料を燃料改質装置１に流通させ、燃料改質装置１のガス経路内部に滞留する水素含有ガスを原料で置換する動作を行い、適宜燃料改質装置１を封止する動作を行う。
【００３６】
〈水素生成装置１００の構成の特徴〉
（１）本実施の形態１の水素生成装置１００では、一酸化炭素低減部と一酸化炭素低減断熱部３１との間に空気対流層２９を構成することで、特に起動時において一酸化炭素低減部全体を速やかに加熱でき、一酸化炭素低減部内に納められる一酸化炭素低減触媒を均一に加熱することを特徴としている。空気対流層２９を設けることで、空気対流層２９内に空気の流れが発生する。一酸化炭素除去部となる変成部２５は、水蒸気改質部２０後の水素含有ガスによって運ばれる熱により、上流から加熱されるが、上流の熱が空気の流れによって、外壁側からも下流に伝えられることになる。すなわち、空気の流れによって、一酸化炭素低減部全体を加熱でき、一酸化炭素低減部内に納められる一酸化炭素低減触媒を均一に加熱できるからである。
【００３７】
（２）また、空気対流層２９への空気取入口３２、及び空気取出口３３が、一酸化炭素低減断熱部に設けられているので、空気対流層で積極的に空気の流れを発生させることができ、その空気の流れによって、一酸化炭素低減部を加熱できる構成となっている。
【００３８】
（３）また、一酸化炭素低減部を加熱する変成ヒーター２７及び選択酸化ヒーター２８が、一酸化炭素低減部の外壁に近接させて、空気対流層２９に設けられているので、空気対流層２９を流れる空気の流れによって、ヒーターの熱が、一酸化炭素低減部全体に伝えることも可能としている。
【００３９】
（４）また、空気取入口３２を、変成ヒーター２７の設置位置よりも、重力方向下側に設けることで、空気対流層２９で積極的に空気の流れを発生させることができ、変成ヒーター２７の熱を、一酸化炭素低減部全体に伝えることも可能としている。
【００４０】
（５）また、外壁を同一にして、一酸化炭素低減部が、水蒸気改質部２０の重力方向上側に設けられ、改質断熱部３０と一酸化炭素低減断熱部３１が、その外壁の外側に設けられていることで、一酸化炭素低減部と比較して高温状態となる水蒸気改質部２０の熱を、一酸化炭素低減部の加熱に有効利用できる構成となっている。
【００４１】
（６）また、原料供給経路４、及び水供給経路３が、空気取出口３３に設けられている
ので、空気対流層２９から排出される空気が持ち出す熱を、水素生成装置１００に供給される原料または水と熱交換でき、放熱ロスを小さくできる構成となっている。
【００４２】
以上の（１）〜（６）に示す構成は、すべて備えること好ましい構成であるが、少なくとも空気対流層２９を設けて、各構成を個別に組み合わせる構成としても、一酸化炭素低減部を、速やかに活性温度に加熱する水素生成装置１００が提供できる。
【００４３】
なお、燃料改質装置１００で生成させる水素含有ガス中の一酸化炭素に要求される濃度によっては（高い濃度で許容される場合）、選択酸化部２６は必ずしも燃料改質装置１の必須構成とする必要としない。具体例としては、選択酸化部２６を持たない燃料改質装置１がＣＯ耐性の高い固体高分子型燃料電池やリン酸型等に接続して使用される場合である。
【００４４】
（実施の形態２）
次に、本発明の実施の形態２について説明する。
【００４５】
図４に、本発明の第２の実施の形態における水素生成装置１０１の要部断面を示す。
【００４６】
図４において、水素生成装置１０１は、実施の形態１の水素生成装置１００とほぼ同じ構成であり、ほぼ同じ動作を行う。相違点は、一酸化炭素低減部（変成部２５及び選択酸化部２６）の加熱構成を、選択酸化ヒーター２８をなくした点である。従って、起動時には、変成ヒーター２７を用いて、一酸化炭素低減部を加熱する構成となる。
【００４７】
空気対流層２９に選択酸化ヒーター２８も設ける実施の形態１の水素生成装置１００と比較すると、装置起動時の一酸化炭素低減部の加熱性は悪くなる。しかし、空気対流層２９を流れる空気の流れによって、変成ヒーター２７の熱が、一酸化炭素低減部全体に伝えることが可能となっているので、空気対流層２９を設けない構成と比較すると、一酸化炭素低減部内に納められる一酸化炭素低減触媒を均一に加熱できる効果を得ることができる。
【００４８】
（実施の形態３）
次に、本発明の実施の形態３について説明する。
【００４９】
図５に、本発明の第３の実施の形態における水素生成装置１０２の要部断面を示す。
【００５０】
図５において、水素生成装置１０２は、実施の形態１の水素生成装置１００とほぼ同じ構成であり、ほぼ同じ動作を行う。相違点は、水蒸気改質部２０と改質断熱部３０との間に空間が設けられ、その空間にも空気対流層２９が構成されている点、空気取入部３２を改質断熱部３０に設けた点、改質断熱部３０の底部に空気対流層２９を確保するためのスペーサー、一酸化炭素除去部の空気対流層２９を確保するためのスペーサーを設けた点である。なお、一酸化炭素低減部と一酸化炭素低減断熱部３１と間に設けられている空気対流層２９とは連通している。
【００５１】
空気対流層２９を、水蒸気改質部２０と一酸化炭素除去部とにわたって構成させ、空気取入部３２を改質断熱部３０に設けることで、一酸化炭素低減部と比較して高温状態となる水蒸気改質部２０の熱を、一酸化炭素低減部の加熱に有効利用できる構成となっている。
【００５２】
なお、改質断熱部３０と一酸化炭素低減断熱部３１との間に、空間を確保するためのスペーサーが設けることで、空気の流れを発生させる空気対流層２９を確実に確保すること
ができる。また、改質断熱部３０と一酸化炭素低減断熱部３１の断熱部を、例えば、マイクロポーラス系断熱材（例えば商品名ＷＤＳ、マイウロサーム）等の熱伝導率の低い材料を用いた場合にも、空気対流層２９を構成することができる。
【００５３】
（実施の形態４）
次に、本発明の実施の形態４について説明する。
【００５４】
図６に、本発明の第４の実施の形態における水素生成装置１０３の要部断面を示す。
【００５５】
図６において、水素生成装置１０３は、実施の形態１の水素生成装置１００とほぼ同じ構成であり、ほぼ同じ動作を行う。相違点は、変成ヒーター２７、及び選択酸化ヒーター２８をなくした点である。実施の形態３の水素生成装置１０３と比較すると、装置起動時の一酸化炭素低減部の加熱性は悪くなる。しかし、空気対流層２９を流れる空気の流れによって、水蒸気改質部２０の熱が、一酸化炭素低減部全体に伝えることが可能となっているので、空気対流層２９を設けない構成と比較すると、水蒸気改質部２０の熱を有効に利用して、一酸化炭素低減触媒を加熱できる効果を得ることができる。
【産業上の利用可能性】
【００５６】
本発明は、水素含有ガス中の一酸化炭素を低減させる一酸化炭素低減部を有する水素生成装置について有用である。
【符号の説明】
【００５７】
２  燃焼部
３  水供給経路
４  原料供給経路
１８  燃焼空気供給部
１９  空気供給部
２０  水蒸気改質部
２１  改質温度検出部
２２  フレームロッド
２３  水蒸気発生部
２４  変成温度検出部
２５  変成部
２６  選択酸化部
２７  変成ヒーター
２８  選択酸化ヒーター
２９  空気対流層
３０  改質断熱部
３１  一酸化炭素除去断熱部
３２  空気取入口
３３  空気取出口
３４  スペーサー
１００、１０１、１０２、１０３  水素生成装置
【図１】
2010269956.tif 000003
【図２】
2010269956.tif 000004
【図３】
2010269956.tif 000005
【図４】
2010269956.tif 000006
【図５】
2010269956.tif 000007
【図６】
2010269956.tif 000008